(57)【要約】【課題】光ディスクにおけるデータの書換え可能回数の増大を図ることが可能な光ディスク装置を提供する。【解決手段】この光ディスク装置では、レーザパワーを複数段階で変化させて光ディスク１５の試し書き領域１６に試し書きを行ない、その結果に基づいて最適レーザパワーを求めるＯＰＣにおいて、レーザパワーの変化パターンを２種類用意し、交互に使用する。したがって、試し書きによるダメージが大きなセクタが固定されていた従来に比べ、ＯＰＣを行なうことが可能な回数が増大し、データの書換え可能回数が増大する。【選択図】図３
2007115341.tif 000002
【特許請求の範囲】
【請求項１】
光ディスクにレーザ光を照射してデータの書込および読出を行なう光ディスク装置において、
レーザパワーを複数段階で変化させて前記光ディスクの試し書き領域に信号の試し書きを行なう書込手段と、
前記書込手段によって前記試し書き領域に試し書きされた信号を読出す読出手段と、  前記読出手段によって読み出された信号に基づいて、前記光ディスクのデータ領域にデータを書込む場合の最適レーザパワーを求める演算手段とを備え、
前記書込手段は、前記レーザパワーの変化パターンを前記信号の試し書きを行なう毎に変化させることを特徴とする、光ディスク装置。  
【請求項２】
レーザパワーを複数段階で変化させて光ディスクの試し書き領域に試し書きを行ない、その結果に基づいて前記光ディスクにデータを書込む場合の最適レーザパワーを求める光ディスク制御方法において、
前記レーザパワーの変化パターンを前記試し書きを行なう毎に変化させることを特徴とする、光ディスク制御方法。
【請求項３】
順番が付けられた複数の変化パターンを記憶しておき、
前記試し書きを行なう場合は、前回の試し書きで用いた変化パターンの次の順番の変化パターンに基づいて前記レーザパワーを変化させることを特徴とする、請求項２に記載の光ディスク制御方法。
【請求項４】
複数の変化パターンを記憶しておき、
前記試し書きを行なう場合は、前記複数の変化パターンのうちのいずれかの変化パターンをランダムに選択し、選択した変化パターンに基づいて前記レーザパワーを変化させることを特徴とする、請求項２に記載の光ディスク制御方法。
【発明の詳細な説明】
【技術分野】
【０００１】
この発明は光ディスク装置および光ディスク制御方法に関し、特に、レーザパワーを複数段階で変化させて光ディスクの試し書き領域に試し書きを行ない、その結果に基づいて光ディスクにデータを書込む場合の最適レーザパワーを求める光ディスク装置および光ディスク制御方法に関する。
【背景技術】
【０００２】
追記あるいは書換え可能な光ディスク（ＤＶＤ±ＲＷ、ＤＶＤ−ＲＡＭなど）にデータを書込む場合、最適レーザパワーは光ディスクのメディア特性や記録ドライブのレーザ特性などにより変化する。そこで、光ディスク装置では、光ディスクの最内周部にある試し書き領域（ＰＣＡ：Power Calibration Area)でレーザパワーを複数段階でステップ状に変化させて試し書きを行ない、その結果から得られる最適レーザパワーで光ディスクのデータ領域に実際のデータを書込む。このように試し書き領域を用いて最適レーザパワーを求める手法を最適レーザパワーキャリブレーション（ＯＰＣ：Optimum Power Calibration)と呼んでいる（たとえば特許文献１参照）。
【特許文献１】特開２００２−２８８８３３号公報
【発明の開示】
【発明が解決しようとする課題】
【０００３】
しかし、従来の光ディスク装置では、レーザパワーの変化パターンが１つしか設けられいなかったので、ＯＰＣを繰返し行なっていると、試し書き領域のうちの高パワーで書き込まれる部分が大きなダメージを受け、ＯＰＣを行なうことができなくなり、データを書き換えることができなくなるという問題があった。
【０００４】
それゆえに、この発明の主たる目的は、光ディスクにおけるデータの書換え可能回数の増大を図ることが可能な光ディスク装置および光ディスク制御方法を提供することである。
【課題を解決するための手段】
【０００５】
この発明に係る光ディスク装置は、光ディスクにレーザ光を照射してデータの書込および読出を行なう光ディスク装置において、レーザパワーを複数段階で変化させて光ディスクの試し書き領域に信号の試し書きを行なう書込手段と、書込手段によって試し書き領域に試し書きされた信号を読出す読出手段と、読出手段によって読み出された信号に基づいて、光ディスクのデータ領域にデータを書込む場合の最適レーザパワーを求める演算手段とを備え、書込手段は、レーザパワーの変化パターンを信号の試し書きを行なう毎に変化させることを特徴とする。
【０００６】
また、この発明に係る光ディスク制御方法は、レーザパワーを複数段階で変化させて光ディスクの試し書き領域に試し書きを行ない、その結果に基づいて光ディスクにデータを書込む場合の最適レーザパワーを求める光ディスク制御方法において、レーザパワーの変化パターンを試し書きを行なう毎に変化させることを特徴とする。
【０００７】
好ましくは、順番が付けられた複数の変化パターンを記憶しておき、試し書きを行なう場合は、前回の試し書きで用いた変化パターンの次の順番の変化パターンに基づいてレーザパワーを変化させる。
【０００８】
また好ましくは、複数の変化パターンを記憶しておき、試し書きを行なう場合は、複数の変化パターンのうちのいずれかの変化パターンをランダムに選択し、選択した変化パターンに基づいてレーザパワーを変化させる。
【発明の効果】
【０００９】
この発明に係る光ディスク装置および光ディスク制御方法では、レーザパワーの変化パターンを試し書きを行なう毎に変化させるので、高パワーで書き込まれる位置が試し書きを行なう毎に変化する。したがって、高パワーで書き込まれる位置が決まっていた従来に比べ、ＯＰＣを行なうことが可能な回数が増大し、データの書換え可能回数が増大する。
【発明を実施するための最良の形態】
【００１０】
図１は、この発明の一実施の形態による光ディスク装置の要部を示すブロック図である。図１において、この光ディスク装置は、ピックアップユニット１、増幅器４、比較部５、再生信号検出部６、ＣＰＵ７、ＤＡ変換器１１、およびＶ−Ｉ変換器１２を備える。
【００１１】
ピックアップユニット１は、書込および読出用のレーザ光を光ディスクに出射するレーザダイオード２と、レーザダイオード２から出射されたレーザ光の一部を受光し、光電変換を行って受光量に応じたレベルのアナログ電気信号を出力するフォトダイオード３とを含む。またピックアップユニット１は、レーザダイオード２から出射されて光ディスクで反射したレーザ光を受光し、光電変換を行なって再生信号を出力する。
【００１２】
増幅器４は、フォトダイオード３から出力されたアナログ電気信号を増幅して比較部５に与える。比較部５は、増幅器４の出力信号の値と基準値とを比較し、それらの差動信号を出力する。再生信号検出部６は、ピックアップユニット１から出力された再生信号を検出し、検出した再生信号をデジタル信号に変換する。
【００１３】
ＣＰＵ（中央処理装置）７は、レーザパワー検出手段８、演算手段９およびレーザパワー駆動手段１０を含み、種々の演算や処理を行なう。レーザパワー検出手段８は、比較部５から出力された差動信号に基づいてレーザパワーを検出する。演算手段９は、再生信号検出部６の検出結果に基づいて、光ディスクの記録データを再生する。また演算手段９は、レーザパワー検出手段８の検出結果に基づき、レーザパワーが目標値になるように指令値をレーザパワー駆動手段１０に与える。また演算手段９は、後述のＯＰＣを行なう。
【００１４】
レーザパワー駆動手段１０は、演算手段９から与えられた指令値に従って、レーザ駆動信号を出力する。ＤＡ変換器１１は、レーザ駆動信号をアナログ信号に変換する。Ｖ−Ｉ変換器１２は、ＤＡ変換器１１の出力信号の電圧を電流に変換し、その電流をレーザダイオード２に流す。レーザダイオード２は、ＤＡ変換器１１の出力電流に応じた値のレーザパワーのレーザ光を出射する。
【００１５】
次に、この光ディスク装置のＯＰＣ動作について説明する。図２に示すように、光ディスク１５の内周側には試し書き領域１６が設けられ、その外周側にはデータ領域１７が設けられている。試し書き領域１６は、テストエリアとカウントエリアに分割され、それぞれ複数（たとえば１００個）のパーティションに分けられている。テストエリアの１パーティションは１５セクタで構成され、１回の試し書きにおいて１パーティションの１５セクタが使用される。カウントエリアには、試し書きを行なった回数が記録される。ＯＰＣでは、たとえば１５セクタに１５段階の強度のレーザパワーで試し書きを行ない、その中で最も記録状態の良かったレーザパワーを選択し、その最適レーザパワーでその光ディスク１５のデータ領域１７にデータを書込む。
【００１６】
信号の記録状態は、記録状態指標値で表される。記録状態指標値を求める方法としては、Ｂｅｔａ法、Ｇａｍｍａ法、Ｍｏｄｕｌａｔｉｏｎ法などがある。たとえばＢｅｔａ法では、再生信号（ＲＦ信号）のピーク値をＡ１とし、そのボトム値をＡ２とした場合、記録状態指標値βはβ＝（Ａ１＋Ａ２）／（Ａ１−Ａ２）となる。このβ値が目標値となるレーザパワーが最適レーザパワーとされる。レーザパワーの段階的変更、記録状態指標値の演算、最適レーザパワーの選択は、演算手段９によって行なわれる。
【００１７】
図３（ａ）（ｂ）は、ＯＰＣにおけるレーザパワーの変化パターンを示す図である。図３（ａ）の変化パターンでは、セクタ１〜１５にそれぞれレーザパワーＰ１５〜Ｐ１の信号が書き込まれる。Ｐ１５が最大であり、Ｐ１が最小であり、番号が小さなセクタほど大きなレーザパワーで信号が書き込まれる。
【００１８】
従来は、レーザパワーの変化パターンはたとえば図３（ａ）で示される１種類のパターンに固定されていた。このため、セクタ１には試し書きが行われる毎に最大のレーザパワーＰ１５で信号が書き込まれ、セクタ１が大きなダメージを受けてＯＰＣを行なうことができなくなるという問題があった。
【００１９】
そこで、本願発明では、図３（ｂ）に示すもう１つの変化パターンを使用し、試し書きを１回行なう毎に図３（ａ）の変化パターンと図３（ｂ）の変化パターンとを切換える。図３（ｂ）の変化パターンでは、セクタ１〜１５にそれぞれレーザパワーＰ１〜Ｐ１５の信号が書き込まれ、番号が大きなセクタほど大きなレーザパワーで信号が書き込まれる。演算手段９は、２つの変化パターンを記憶しており、２つの変化パターンを交互に読み出して使用する。
【００２０】
たとえば、１つのパーティションの１５セクタに試し書きを行なう場合に図３（ａ）の変化パターンと図３（ｂ）の変化パターンを交互に用いると、１５セクタのダメージが平均化され、セクタ１の試し書き可能回数は従来の略２倍になる。したがって、本願発明によれば、試し書き可能回数が増大し、データの書換え可能回数が増大する。
【００２１】
なお、この実施の形態では、２つの変化パターンを交互に使用したが、順番が付けられた３つ以上の変化パターンを記憶しておき、前回の試し書きで使用した変化パターンの次の順番の変化パターンを選択し、その変化パターンに従ってレーザパワーを変化させてもよい。また、複数の変化パターンを記憶しておき、試し書きを行なう毎に複数の変化パターンのうちのいずれかの変化パターンをランダムに選択し、その変化パターンに従ってレーザパワーを変化させてもよい。
【００２２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２３】
【図１】この発明の一実施の形態による光ディスク装置の要部を示すブロック図である。
【図２】図１に示した光ディスク装置によってデータの書込／読出が行なわれる光ディスクを示す図である。
【図３】図１に示した光ディスク装置のＯＰＣ動作を説明するための図である。
【符号の説明】
【００２４】
１  ピックアップユニット、２  レーザダイオード、３  フォトダイオード、４  増幅器、５  比較部、６  再生信号検出部、７  ＣＰＵ、８  レーザパワー検出手段、９  演算手段、１０  レーザパワー駆動手段、１１  ＤＡ変換器、１２  Ｖ−Ｉ変換器、１５  光ディスク、１６  試し書き領域、１７  データ領域。
【図１】
2007115341.tif 000003
【図２】
2007115341.tif 000004
【図３】
2007115341.tif 000005